(57)【要約】【課題】              安価で、良好な広告効果が期待できる広告配信システムの提供。【解決手段】          広告配信システムは、無線端末１００〜１０２と、無線端末１００〜１０２に接続され広告コンテンツを再生する広告再生装置１１０〜１１２と、移動通信網と接続され、広告コンテンツの配信管理を行う広告配信サーバ１０と、少なくとも広告コンテンツと該広告コンテンツを再生する場所を指定する広告依頼情報を受け付ける広告受付サイトを備え、受け付けた広告の配信依頼を広告配信サーバ１０に転送する広告受付端末１１と、を備える。広告主端末３０、３１を介した広告主の依頼に応じて、広告配信サーバ１０は、移動通信事業者が提供するセルブロードキャストサービス或いはパケット呼を利用して広告コンテンツをセル毎に配信し、広告再生装置１１０〜１１２に表示させる。【選択図】            図１
2006267246.tif 000002
【特許請求の範囲】
【請求項１】
無線端末から出力された広告コンテンツを再生する広告再生装置と、
移動通信網を介して、広告コンテンツを受信し、前記広告再生装置に出力する無線端末と、
前記移動通信網と接続され、広告コンテンツの配信管理を行う広告配信サーバと、
少なくとも、広告コンテンツと該広告コンテンツを再生する場所を指定する広告依頼情報を受け付けて、前記広告配信サーバに対して転送する広告受付端末と、を備えたこと、
を特徴とする広告配信システム。
【請求項２】
前記広告依頼情報は、前記移動通信網のセル単位で広告場所が指定され、
前記広告配信サーバは、前記移動通信網側にセルブロードキャストにて広告コンテンツの配信を要求すること、
を特徴とする請求項１に記載の広告配信システム。
【請求項３】
前記広告依頼情報は、前記移動通信網のセル単位で広告場所が指定され、
前記広告配信サーバは、前記移動通信網側にマルチメディアブロードキャストにて広告コンテンツの配信を要求すること、
を特徴とする請求項１に記載の広告配信システム。
【請求項４】
前記広告配信サーバは、前記無線端末に対して、広告コンテンツの再生計画表と、数種の広告コンテンツを一括配信し、
前記無線端末は、
前記一括配信された広告コンテンツを記憶保持する広告コンテンツ記憶部と、
前記記憶保持した広告コンテンツを前記再生計画表に従って、前記広告再生装置に出力する再生管理部と、を備えること、
を特徴とする請求項１乃至３いずれか一に記載の広告配信システム。
【請求項５】
前記広告配信サーバは、前記無線端末が記憶保持する広告コンテンツとの差分を配信すること、
を特徴とする請求項４に記載の広告配信システム。
【請求項６】
前記無線端末は、
少なくとも広告コンテンツ毎に、再生回数を管理する再生結果管理部と、
所定の時間間隔で、前記広告コンテンツ毎に再生回数データを、所定の課金装置に送信する再生結果報告部と、を備えること、
を特徴とする請求項１乃至５いずれか一に記載の広告配信システム。
【請求項７】
前記再生結果管理部は、前記広告再生装置の稼動状況を、前記所定の課金装置に送信すること、
を特徴とする請求項６に記載の広告配信システム。
【請求項８】
接続された広告再生装置に広告コンテンツを出力し再生させる無線端末が属する移動通信網と、少なくとも広告コンテンツと該広告コンテンツを再生する場所を指定する広告依頼情報を受け付ける広告受付端末と、に接続された広告配信サーバであって、
前記広告受付端末から広告依頼情報を受信し、広告コンテンツの再生計画表を更新する再生計画管理部と、
前記再生計画表に従って、前記無線端末網側に前記無線端末への広告コンテンツの配信を要求する配信制御部と、を備えたこと、
を特徴とする広告配信サーバ。
【請求項９】
前記再生計画管理部は、前記移動通信網のセルを単位とした再生計画表を保持し、
前記配信制御部は、セルブロードキャストにて広告コンテンツの配信を要求すること、
を特徴とする請求項８に記載の広告配信サーバ。
【請求項１０】
前記再生計画管理部は、前記移動通信網のセルを単位とした再生計画表を保持し、
前記配信制御部は、マルチメディアブロードキャストにて広告コンテンツの配信を要求すること、
を特徴とする請求項８に記載の広告配信サーバ。
【請求項１１】
前記配信制御部は、前記無線端末に対して、広告コンテンツの再生計画表と、広告コンテンツを一括配信すること、
を特徴とする請求項９又は１０に記載の広告配信サーバ。
【請求項１２】
前記配信制御部は、前記各無線端末が記憶保持する広告コンテンツとの差分を配信すること、
を特徴とする請求項１１に記載の広告配信サーバ。
【請求項１３】
予め作成され広告主の端末から選択可能な広告コンテンツ群と、広告主の端末から前記選択された広告コンテンツの修正を受け付ける広告コンテンツ受付部と、
少なくとも前記広告主の端末から前記修正した広告コンテンツの配信場所を受け付ける配信依頼受付部と、
請求項８乃至１２いずれか一に記載の広告配信サーバに対して、前記広告主の端末から受信した内容に基いた広告依頼情報を生成して送信する広告依頼送信部と、を備えたこと、
を特徴とする広告受付端末。
【請求項１４】
広告主の端末から配信を希望する広告コンテンツの送信を受け付ける広告コンテンツ受付部と、
少なくとも前記広告主の端末から送信された広告コンテンツの配信場所を受け付ける配信依頼受付部と、
請求項８乃至１２いずれか一に記載の広告配信サーバに対して、前記広告主の端末から受信した内容に基いた広告依頼情報を生成して送信する広告依頼送信部と、を備えたこと、
を特徴とする広告受付端末。
【請求項１５】
広告コンテンツを再生する広告再生装置と接続可能であって、請求項８乃至１２いずれか一に記載の広告配信サーバから受信した広告コンテンツを、前記広告再生装置に送信する再生処理部を備えたことを特徴とする無線端末。
【請求項１６】
更に、請求項１１又は１２に記載の広告配信サーバから受信した広告コンテンツを記憶保持する広告コンテンツ記憶部と、
前記記憶保持した広告コンテンツを、請求項１１又は１２に記載の広告配信サーバから受信した再生計画表に従って、前記広告再生装置に出力すること、
を特徴とする請求項１５に記載の無線端末。
【請求項１７】
更に、少なくとも広告コンテンツ毎に、再生回数を管理する再生結果管理部と、
所定の時間間隔で、前記広告コンテンツ毎に再生回数データを、所定の課金装置に送信する再生結果報告部と、を備えること、
を特徴とする請求項１５又は１６に記載の無線端末。
【請求項１８】
前記再生結果報告部は、前記広告再生装置の稼動状況を前記所定の課金装置に送信すること、
を特徴とする請求項１７に記載の無線端末。
【請求項１９】
請求項１５乃至１８いずれか一に記載の無線端末と接続され、前記無線端末から出力された広告コンテンツを再生する広告再生装置。
【請求項２０】
請求項１８に記載の無線端末からの問い合わせに対して自機稼動状況を応答する請求項１９に記載の広告再生装置。
【請求項２１】
接続された広告再生装置に広告コンテンツを出力し再生させる無線端末が属する移動通信網と、少なくとも広告コンテンツと該広告コンテンツを再生する場所を指定する広告依頼情報を受け付ける広告受付端末と、に接続された広告配信サーバに実行させるプログラムであって、
前記広告受付端末から広告依頼情報を受信し、広告コンテンツの再生計画表を更新する処理と、
前記再生計画表に従って、前記移動通信網側に前記無線端末への広告コンテンツの配信を要求する処理と、を前記広告配信サーバに実行させるプログラム。
【請求項２２】
前記移動通信網のセルを単位とした再生計画表を保持し、セルブロードキャストにて広告コンテンツの配信を要求すること、
を特徴とする請求項２１に記載のプログラム。
【請求項２３】
前記移動通信網のセルを単位とした再生計画表を保持し、マルチメディアブロードキャストにて広告コンテンツの配信を要求すること、
を特徴とする請求項２１に記載のプログラム。
【請求項２４】
前記無線端末に対して、広告コンテンツの再生計画表と、広告コンテンツを一括配信すること、
を特徴とする請求項２２又は２３に記載のプログラム。
【請求項２５】
前記各無線端末が記憶保持する広告コンテンツとの差分を配信すること、
を特徴とする請求項２４に記載のプログラム。
【請求項２６】
広告コンテンツを再生する広告再生装置と接続可能な無線端末に実行させるプログラムであって、請求項８乃至１２いずれか一に記載の広告配信サーバから受信した広告コンテンツを、前記広告再生装置に出力する処理を、前記無線端末に実行させるプログラム。
【請求項２７】
広告コンテンツを再生する広告再生装置と接続可能な無線端末に実行させるプログラムであって、
請求項１１又は１２に記載の広告配信サーバから受信した広告コンテンツを記憶保持する処理と、
前記記憶保持した広告コンテンツを、請求項１１又は１２に記載の広告配信サーバから受信した再生計画表に従って、前記広告再生装置に出力する処理と、を前記無線端末に実行させるプログラム。
【請求項２８】
更に、少なくとも広告コンテンツ毎に、再生回数を管理する処理と、
所定の時間間隔で、前記広告コンテンツ毎に再生回数データを、所定の課金装置に送信する処理と、を前記無線端末に実行させる請求項２６又は２７に記載のプログラム。
【請求項２９】
更に、前記広告再生装置の稼動状況を、前記所定の課金装置に送信する処理を前記無線端末に実行させる請求項２８に記載のプログラム。
【請求項３０】
広告受付端末が、少なくとも広告コンテンツと、該広告コンテンツを再生する場所を指定する広告依頼情報を受け付けて、前記広告配信サーバに対して転送するステップと、
広告配信サーバが、前記広告依頼情報に基いて、広告コンテンツの配信計画表を生成し、該配信計画表に基いて、移動通信網側に、各無線端末への広告コンテンツの配信を要求するステップと、
広告再生装置と接続された無線端末が、前記移動通信網を介して、前記広告配信サーバから受信した広告コンテンツを前記広告再生装置に出力するステップと、
前記広告再生装置が、前記無線端末から受信した広告コンテンツを再生するとともに、再生回数をカウントするステップと、
前記広告再生装置が、予め定める間隔で、広告コンテンツ毎の再生回数を集計して、所定の課金装置に対して送信するステップと、
前記所定の課金装置が、前記広告コンテンツ毎の再生回数に応じた広告料を算出するステップと、を含むこと、
を特徴とする広告配信方法。
【発明の詳細な説明】
【技術分野】
【０００１】
本発明は、広告配信システム、広告配信方法、装置、及び、プログラムに関し、特に、移動通信網を利用した広告配信システム、広告配信方法、装置、及び、プログラムに関する。
【背景技術】
【０００２】
電車内や商店街の大型スクリーンに画像や動画を使用した電子広告を表示させ、商品やイベントを宣伝することが行われている。また、特開２００４−６４１７０号公報のように、携帯端末を広告媒体として捉え、携帯端末に電子広告データを配信する電子広告システムも提案されている。同公報によれば、無線ネットワークを介しブロードキャストチャネルを用いて電子広告データを配信することにより、多数の携帯端末に効率よく表示部への表示や音声出力をさせることができると記載されている。また、同公報によれば、携帯端末側に電子広告データの受信制御手段を備えて、携帯端末ユーザが興味のあるカテゴリの広告のみを受信できるようにすることも記載されている。
【０００３】
【特許文献１】特開２００４−６４１７０号公報
【発明の開示】
【発明が解決しようとする課題】
【０００４】
しかしながら、上記した従来の電車内や大型スクリーンを利用した装置は、設置費用が高いため、広告料も相応の額とならざるを得ないのが実情である。
【０００５】
また、上記した公報記載の技術は、移動通信網の基地局のセル単位でブロードキャスト（以下、セルブロードキャストともいう）するものであるが、実際にユーザに受け入れられるものにするためには、携帯端末側に、目障りな広告の再生を抑止するために上述した受信制御手段を設ける必要がある。従って、ブロードキャストが仇となって、配信をしたい情報が、携帯端末ユーザから敬遠される可能性がある。また、上記した電車内や大型スクリーンを利用した方式と異なり、携帯端末ユーザが意図的に画面を見たり、出力音声を大きくしたりするなどしなければ、広告効果が得られないという携帯端末ならではの問題点もある。
【０００６】
本発明は、上記した事情に鑑みてなされたものであって、その目的とするところは、移動通信網の利用を前提としながら、安価で、良好な広告効果が期待できる広告配信システム、広告配信方法、装置、及び、プログラムを提供することにある。
【課題を解決するための手段】
【０００７】
本発明の第１の視点によれば、無線端末から出力された広告コンテンツを再生する広告再生装置と、移動通信網を介して、広告コンテンツを受信し、前記再生装置に出力する無線端末と、前記移動通信網と接続され、広告コンテンツの配信管理を行う広告配信サーバと、少なくとも広告コンテンツと、該広告コンテンツを再生する場所を指定する広告依頼情報を受け付けて、前記広告配信サーバに対して転送する広告受付端末と、を備えたことを特徴とする広告配信システムが提供される。この広告配信システムによれば、広告主の依頼に応じて、移動通信事業者が提供するセルブロードキャストサービス或いはパケット呼を利用して無線端末に広告コンテンツを配信し、駅構内、バス停、店舗内等に設置された液晶ディスプレイ等の広告再生装置で表示する仕組みが提供される。
【０００８】
本発明の第２の視点によれば、上述した広告配信システムを用いて実施可能な広告配信方法が提供される。この方法によれば、まず広告受付端末が、少なくとも広告コンテンツと、該広告コンテンツを再生する場所を指定する広告依頼情報を受け付けて、前記広告配信サーバに対して転送する。続いて、広告配信サーバが、前記広告依頼情報に基づいて、広告コンテンツの配信計画表を生成し、該配信計画表に基づいて、移動通信網を介して、広告コンテンツを各無線端末に配信する。続いて、広告再生装置と接続された無線端末が、前記広告配信サーバから受信した広告コンテンツを前記広告再生装置に出力し、前記再生装置が、前記無線端末から受信した広告コンテンツを再生する。前記広告再生装置は、再生回数をカウントするとともに、予め定める間隔で、広告コンテンツ毎の再生回数を集計して、所定の課金装置に対して送信する。そして、前記広告コンテンツ毎の再生回数データは、前記所定の課金装置が広告料を算出する基礎として用いられる。
【０００９】
本発明の第３の視点によれば、上述した広告配信システムを構成する広告配信サーバ、広告受付端末、無線端末、再生装置と、これら装置に実行させて上記広告配信方法を実施させるためのプログラムが提供される。
【発明の効果】
【００１０】
本発明によれば、安価なコストで、広告主が望んだ地域に効果の高い広告を行うことが可能となる。その理由は、既存の移動通信網の特性を踏まえて組み入れたこと、そして、無線端末本体の表示装置とは別の広告再生装置を用いるよう構成したことにある。
【発明を実施するための最良の形態】
【００１１】
続いて、本発明を実施するための最良の形態について、図面を参照して詳細に説明する。図１は、本発明の第１の実施形態に係る広告配信システムの全体構成を表した図である。図１を参照すると、広告配信サーバ１０、広告受付端末１１とを含む広告配信事業者のシステムと、基地局制御装置２１、セルブロードキャストセンタ２２、基地局２３、２４とを含む移動通信ネットワークと、インターネット４０を介して広告配信事業者のシステムと接続された広告主端末３０、３１と、再生装置である広告再生装置１１０、１１１、１１２が接続された無線端末１００、１０１、１０２が示されている。
【００１２】
広告受付端末１１は、広告配信事業者が設置・管理するワークステーション・サーバ等の情報処理装置であり、インターネット４０を介してアクセスする広告主端末３０、３１から広告依頼を受け付ける配信依頼受付部（不図示）と、広告配信サーバ１０に対して、広告依頼情報を生成して送信する広告依頼送信部（不図示）と、を備えている。配信依頼受付部は、画像や動画の広告依頼を受け付けるためのＷＥＢコンテンツによって実現できる。より具体的には、このＷＥＢコンテンツは、広告主側で用意した画像或いは動画ファイルのアップロードを受け付けるコンテンツ、或いは、広告配信事業者側で用意した広告コンテンツ（広告テンプレート）の選択を受け付けるコンテンツ、会社名、広告の種類、広告希望範囲、広告希望時間帯、広告配信期間等の入力を受け付けるコンテンツが含まれる。また、広告受付端末１１は、広告主からの広告料の見積もり作成依頼を受け付けるためのＷＥＢコンテンツを有している。
【００１３】
広告配信サーバ１０は、広告受付端末１１とセルブロードキャストセンタ２２に接続されている。また、広告配信サーバ１０は、広告受付端末１１が受け付けた広告依頼に基づいて、地域毎の配信計画表を更新する配信計画管理部（不図示）と、地域毎の配信計画表に従って、移動通信ネットワークのセルブロードキャストセンタ２２に再生計画表及び広告コンテンツの配信要求を行う配信制御部（不図示）とを備えている。なお。広告配信サーバ１０は、移動体通信ネットワークの基地局セルを単位として、地域毎の配信計画表を管理するものとする。
【００１４】
また、本実施形態における広告配信サーバ１０は、無線端末１００、１０１、１０２から所定の時間間隔で報告される再生状況データの送信先ともなっている。広告配信事業者は、後記するように再生状況データに基づいて広告を再生した実績に応じた課金体系をとることができる。
【００１５】
セルブロードキャストセンタ２２は、移動通信ネットワークにセルブロードキャストサービスを提供するための装置であり、基地局制御装置２１を介して基地局２３、２４からセルブロードキャストサービスを実施する装置である。本実施形態のセルブロードキャストセンタ２２は、広告配信サーバ１０と接続され、広告配信サーバ１０から再生計画表と広告コンテンツを受信し、セルブロードキャストサービスにより配信する。
【００１６】
基地局制御装置２１及び基地局２３、２４は、上記セルブロードキャストサービスだけでなく、通話やパケット等の通常の移動通信サービスを提供するための移動通信ネットワークに設けられた機器である。
【００１７】
広告主端末３０、３１は、広告受付端末１１が提供するＷＥＢコンテンツを介して、広告の配信依頼を行うためのインターネット４０に接続可能なパーソナルコンピュータ等である。
【００１８】
広告再生装置１１０、１１１、１１２は、駅構内やバス停、店舗、インフォメーションセンター、タクシーやバスの社内等、人が集まる場所、人の目に付く場所に設置させる液晶ディスプレイ装置等の機器である。これら広告再生装置は、それぞれ無線端末１００、１０１、１０２とビデオケーブル等の汎用インタフェースで接続され、無線端末１００、１０１、１０２から出力される広告コンテンツを再生する。またこれら広告再生装置は、それぞれ無線端末１００、１０１、１０２からの稼動状況を問い合わせる信号に対して応答するよう構成されている。
【００１９】
無線端末１００、１０１、１０２は、それぞれ広告再生装置１１０、１１１、１１２を接続可能であり、移動通信網を利用しデータ送受信を行うことのできる無線通信機器である。無線端末１００、１０１、１０２は、基地局２３或いは２４を介して広告配信サーバ１０から受信した再生計画表及び広告コンテンツを記憶保持する広告コンテンツ記憶部（不図示）と、前記再生計画表に従って広告コンテンツを広告再生装置１１０、１１１、１１２に出力する再生処理部（不図示）とを備えている。また、無線端末１００、１０１、１０２は、広告コンテンツの再生状況やエラー等の情報を監視する再生結果管理部（不図示）と、これらを広告配信サーバ１０に通知するためにパケット呼等を自動的に生起して通知する再生結果報告部（不図示）も備えている。
【００２０】
次に、移動通信網を利用した広告の配信の概要について説明する。図２は、広告の配信範囲を説明するための移動通信システムの模式図である。図２を参照すると、基地局２３がカバーする範囲９１（セルＡ）と、基地局２４がカバーする範囲９２（セルＢ）と、基地局２３、基地局２４がカバーする範囲９０が示されている。
【００２１】
無線端末１００は、範囲９１内にあるため、基地局２３から広告コンテンツを受信することができる。同様に、無線端末１０１、１０２は、範囲９２内にあるため、基地局２４から広告コンテンツを受信することができる。
【００２２】
広告主が個々の広告の配信範囲をセル単位で指定し、広告配信サーバ１０がこれに基づいて配信動作を行うことで、広告コンテンツを配信する範囲を限定（指定）することが可能となる。また、当然に、セルＡ及びセルＢを指定した場合には、範囲９０を指定する広域配信も可能となる。
【００２３】
続いて、本実施形態の動作について図面を参照して詳細に説明する。図３は、本実施形態に係る広告配信システムの全体動作を表した図である。図３を参照すると、まず、広告主によって操作される広告主端末３０、３１が、広告の配信を依頼するためにインターネット４０上にある広告受付端末１１によって提供される広告依頼用のＷＥＢコンテンツ（配信依頼受付部）にアクセスする。ここで、広告主が予め準備した広告の画像或いは動画ファイルをアップロード、或いは、広告受付端末１１側で用意される広告コンテンツ（広告テンプレート）を指定する等して配信する広告コンテンツを指定し、更に、広告の配信範囲（場所）や期間、広告主（発注元）の情報を入力して広告配信の依頼（発注）を行う（矢線（Ａ））。
【００２４】
より具体的に説明すると例えば、広告主が自らあるいは広告制作会社に委託して広告コンテンツを用意している場合、広告主は、広告主端末３０、３１を使用し、広告受付端末が公開する広告受付サイトにアクセスする。広告主は、広告受付サイトの広告配信依頼フォーマットに、会社名、広告の種類、広告を希望する地域（セル）、配信希望時間帯、配信期間等の入力と、前記広告コンテンツの登録（アップロード）を行う。
【００２５】
続いて、広告受付端末１１は、広告依頼送信部により、広告主端末３０、３１より広告の依頼（発注）を受けた内容（広告コンテンツとなる画像／動画ファイル及び広告の配信範囲（場所）や期間、広告主（発注元）の情報等）を、広告配信サーバ１０に送信する（矢線（Ｂ））。広告配信サーバ１０は、配信計画管理部により、送信された内容にて指定された配信範囲（場所）から、該当する移動通信網のセルを割り出し、該セルの広告配信計画表を更新する。
【００２６】
図４は、広告受付端末１１が受け付けた配信依頼内容と、広告配信サーバ１０に登録される内容を説明するための図である。図４に示されたとおり、広告配信サーバ１０は、移動通信ネットワークのセル構成に対応するセル単位に作成された配信計画表７０Ａ、７０Ｂをその記憶装置に保持している。図４に例示した配信計画表７０Ａ、７０Ｂは、１日を単位として作成されており、１時間ごと区分けされた各時間帯に最大４社分の広告コンテンツを順番に表示するものとなっている。
【００２７】
ここで例えば、Ｂ社が、配信希望する範囲（セルＡ）に対し、１１：００〜１５：５９の時間帯で、１０月１０日から１２日まで、２２２．ｘｙｚというファイルを表示して欲しいという広告依頼を登録したとすると、広告配信サーバ１０は、セルＡの１０月１０日の配信計画表を取り出し、１１：００、１２：００、１３：００、１４：００、１５：００の各枠にＢ社の広告コンテンツ（ファイル名：２２２．ｘｙｚ）を再生するよう、配信計画表に追加する処理を行う。広告配信サーバ１０は、１０月１１日及び１０月１２日についても同様の処理を行うことで、Ｂ社の広告配信依頼に基づく配信計画表の更新処理が完了する。
【００２８】
再度図３を参照すると、広告配信サーバ１０は、配信制御部により、上述のとおり更新した配信計画表から、セル内にある無線端末用の再生計画表を生成し、生成した再生計画表と配信コンテンツを、セルブロードキャストするデータとして、該セルをブロードキャスト先として、移動通信システム網のセルブロードキャストセンタ２２に登録する（矢線（Ｃ））。
【００２９】
なお、広告配信サーバ１０は、後述するようにトラヒックの少ない時間帯に再生計画表及び広告コンテンツを送信するよう設定されている。また、広告配信サーバ１０は、広告コンテンツの送信（セルブロードキャストセンタ２２への登録）に際し、前日の配信計画表と照らし合わせ、変更のないものは、改めて送信せず、差分（新規広告や更新が行われた広告コンテンツ）のみを配信するものとする。またその際、広告配信サーバは、配信するデータを適宜圧縮するものとし、データの配信量を最小化するようにしてもよい。
【００３０】
図５は、広告配信サーバ１０が送信する再生計画表と広告コンテンツ等と、無線端末側で管理される情報を説明するための図である。図５の例では、広告配信サーバ１０は、再生計画表にあるＡ社〜Ｐ社のすべての広告コンテンツを送信するのではなく、新しく配信依頼を受けたＢ社の新規広告コンテンツ（２２２．ｘｙｚ）と、更新が行われたＰ社の差し替え広告コンテンツ（８８８．ｘｙｚ）を送信する。
【００３１】
上記広告コンテンツの送信は、広告配信サーバが始めに再生計画表のみを送信するものとし、これに基いて無線端末側から必要な広告コンテンツを判断し、広告配信サーバ１０に対して広告コンテンツの配信を要求することとしてもよい。
【００３２】
移動通信システム網のセルブロードキャストセンタ２２は、登録されたデータを、セルブロードキャスト機能により、指定されたセルに配信する（矢線（Ｄ））。
【００３３】
無線端末は、この配信されたデータを広告コンテンツ記憶部に記憶保持するとともに、再生処理部によって、再生計画表に従って、該当する画像／映像ファイルを再生装置に出力する。無線端末は、再生結果管理部により、再生装置に出力した結果（回数、エラー有無）を集計し、広告配信サーバ１０に対して、再生状況の報告を行う（矢線（Ｅ））。
【００３４】
図６は、日中の各時間帯に配信するよう再生計画表が設定されている場合の無線端末側で行われる動作フローの例を表した図である。無線端末は、広告効果の高い日中に、再生計画表に従った広告コンテンツの出力を行う（ステップＳ１０１）。この間、無線端末は、再生が正常に行われた（あるいは正常に行われなかった）回数を広告コンテンツ毎にカウントする。また、無線端末は、自機に接続された広告再生装置に対して、所定の時間間隔で、問い合わせ信号を送信し、広告再生装置からの応答によってその稼動状況を監視する。
【００３５】
配信計画表の最後の時間帯が終了すると、無線端末は、再生結果管理部により、一日の再生結果と広告再生装置のエラーの発生有無を報告するために広告配信サーバ１０へパケット呼を生起し、広告コンテンツ毎のカウント情報と広告再生装置の稼動状況を送信する（ステップＳ１０２）。
【００３６】
ここで、再度図５を参照して、無線端末内で管理される情報について説明する。図５の右側に示したとおり、無線端末は、１日分の広告配信計画表、その日に表示すべき各社の広告コンテンツ、広告コンテンツ毎の再生回数（広告再生装置への出力回数）、広告再生装置の稼動状況（図５の例ではエラーの発生と、電源状態を記録）を管理情報として管理している。これらの情報が、広告配信サーバ１０へのパケット呼により送信される。
【００３７】
再度図６を参照すると、広告配信サーバ１０から移動通信網のトラヒックが最も少ない深夜に前述した再生計画表及び広告コンテンツを受信すると、無線端末は、広告再生回数カウンタ等の値をクリアする（ステップＳ１０３）。
【００３８】
次に、受信した新しい再生計画表を更新し、新たに受信した広告コンテンツの保存、配信する必要のなくなった古い広告ファイルの削除、差し替え広告コンテンツの置き換えを
行う（ステップＳ１０４）。
【００３９】
最後に広告配信サーバ１０は、各無線端末が送信した再生状況データを集計し出力する。広告配信事業者は、これにより広告が正常に表示されたことを確認するとともに、広告主に対する広告料の請求書を発行し、又、広告再生装置を設置している店舗等に対し広告配信料として配布する。
【００４０】
図７は、広告配信事業者、広告主、移動通信システム事業者、モニター設置店舗等の関係を示す相関図である。図７にまとめたとおり、本実施形態に係る広告配信システムに関与する者は、それぞれメリットを得られるものであるが、例えば、図７中に示された無線端末や広告再生装置は、販売されるものではなく、例えば、広告配信事業者から貸与されるものとしても良い。
【００４１】
また、図７にも表したように、広告再生装置を設置した店舗等にも広告料の一部を分配することとした場合には、当該広告料が設置へのインセンティブとなり、広告再生装置の設置箇所の増加を期待でき、ひいては、本広告配信システム自体の価値を一層高めることができる。
【００４２】
以上のとおり、既存の移動通信網や機器を利用することで、広告配信料を安くすることが可能となり、また、効率よく地域に特化した広告を配信することが可能となる。また、広告主側としても、広告受付端末によって提供される広告受付サイトにアクセスすることにより、容易に広告コンテンツを作成し、配信依頼を行うことが可能となる。
【００４３】
また、上記した実施形態では、移動通信網のセルブロードキャスト機能を利用するものとして説明したが、パケット呼等を用いたユニキャスト方式で広告コンテンツ等を配信することも可能である。この場合は、セルに依存せずにエリアを区切ることができ、より地域を限定して広告コンテンツを配信することが可能となる。また、この方式によれば、広告コンテンツが無線端末に配信されたか否かを確認し、再送等の必要な処理を行うことも可能となる。
【００４４】
また、放送同様に、マルチメディアブロードキャスト方式で広告コンテンツを配信することも可能である。この場合は、音声や動画像等のストリーミングデータをセル単位で配信することが可能となる。
【００４５】
以上本発明のその好ましい実施形態を説明したが、その原理からも明らかなとおり、本発明の技術的範囲は、上述した各実施形態に限定されるものではなく、既存の移動通信網を利用するとともに、無線端末に接続される広告再生装置を用いて効果の高い広告を実施するという本発明の要旨を逸脱しない範囲で、各種の変形・置換をなしうることが可能であることはいうまでもない。例えば、上記した実施形態では、広告再生装置として液晶ディスプレイを用いるものとして説明したが、音声データを出力するスピーカや、所定の制御信号にて動作する機械式看板装置であっても同様の作用効果を奏することはもちろんである。
【００４６】
また上記した実施形態では、広告配信サーバ１０が、一種の課金処理装置として動作するものとして説明したが、例えば、移動通信事業者が設置する課金処理装置に前記した広告コンテンツの再生状況を送信するものとし、これに基づいて広告を再生した実績に応じた課金を行うものとしてもよい。
【図面の簡単な説明】
【００４７】
【図１】本発明の第１の実施形態に係る広告配信システムの全体構成を表した図である。
【図２】広告の配信範囲を説明するための移動通信システムの模式図である。
【図３】本発明の第１の実施形態に係る広告配信システムの全体動作を表した図である。
【図４】本発明の第１の実施形態に係る広告配信システムにおける広告受付端末と、広告配信サーバの動作を説明するための図である。
【図５】本発明の第１の実施形態に係る広告配信システムにおける無線端末と、広告配信サーバの動作を説明するための図である。
【図６】本発明の第１の実施形態に係る広告配信システムにおける無線端末の動作を説明するための図である。
【図７】本発明の第１の実施形態に係る広告配信システムに関与する事業等の相関関係を表した図である。
【符号の説明】
【００４８】
１０  広告配信サーバ
１１  広告受付端末
２１  基地局制御装置
２２  セルブロードキャストセンタ
２３、２４  基地局
３０、３１  広告主端末
４０  インターネット
７０Ａ、７０Ｂ  配信計画表
９０  セルＡ、Ｂ範囲
９１  セルＡ範囲
９２  セルＢ範囲
１００、１０１、１０２  無線端末
１１０、１１１、１１２  広告再生装置
【図１】
2006267246.tif 000003
【図２】
2006267246.tif 000004
【図３】
2006267246.tif 000005
【図４】
2006267246.tif 000006
【図５】
2006267246.tif 000007
【図６】
2006267246.tif 000008
【図７】
2006267246.tif 000009